【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
列車ダイヤと、各乗務員の乗務する列車及び駅区間を含んで構成される運用情報と、前記列車ダイヤで規定する列車以外の他移動手段の情報と、を保持する乗務員運用管理システムであって、
所定乗務員が、前記列車ダイヤに記載の列車および前記他移動手段の少なくともいずれかを用いた場合に、所定の場所から所定駅に到達するための移動時間を算定する移動時間算出部と、
前記列車ダイヤの変更時に、前記列車および前記他移動手段の少なくともいずれかを用いて乗務員が移動する場合の前記運用情報の変更案を、前記算定した移動時間を用いて作成する変更案作成部と、
を備えることを特徴とする乗務員運用管理システム。
【請求項２】
前記変更案作成部において、前記他移動手段を用いて乗務員が移動する前記変更案を作成した場合、当該変更案を当該他移動手段の情報とともに所定装置に出力する処理を更に実行するものである、
ことを特徴とする請求項１に記載の乗務員運用管理システム。
【請求項３】
前記移動時間算出部において、前記他移動手段の情報が示す、当該他移動手段による過去の移動履歴の情報を用いて前記移動時間の算出を実行するものである、
ことを特徴とする請求項１に記載の乗務員運用管理システム。
【請求項４】
前記移動時間算出部において、前記他移動手段の情報が示す、前記他移動手段に関して予め求めた所定距離ないし所定地点間の移動時間の情報に基づき前記移動時間の算出を実行するものである、
ことを特徴とする請求項１に記載の乗務員運用管理システム。
【請求項５】
前記移動時間算出部において、前記乗務員が保持する所定の位置取得装置から、当該乗務員の位置情報を取得し、当該位置情報に基づき前記移動時間を算出し、
前記変更案作成部において、前記位置情報の得られている当該乗務員が、前記列車および前記他移動手段の少なくともいずれかを用いて移動する場合の前記変更案を、前記位置情報に基づき算定した移動時間を用いて作成するものである、
ことを特徴とする請求項１に記載の乗務員運用管理システム。
【請求項６】
前記移動時間算出部において、前記列車ダイヤの変更時における、事故発生曜日、事故発生時刻、事故発生からの経過時間、遅延原因、降雨量、および降雪量、のうち少なくともいずれかの情報に更に基づいて前記移動時間を算出するものである、
ことを特徴とする請求項１に記載の乗務員運用管理システム。
【請求項７】
列車ダイヤと、各乗務員の乗務する列車及び駅区間を含んで構成される運用情報と、前記列車ダイヤで規定する列車以外の他移動手段の情報と、を保持する記憶部を備えた情報処理システムが、
所定乗務員が、前記列車ダイヤに記載の列車および前記他移動手段の少なくともいずれかを用いた場合に、所定の場所から所定駅に到達するための移動時間を算定する移動時間算出処理と、
前記列車ダイヤの変更時に、前記列車および前記他移動手段の少なくともいずれかを用いて乗務員が移動する場合の前記運用情報の変更案を、前記算定した移動時間を用いて作成する変更案作成処理と、
を実行することを特徴とする乗務員運用管理方法。
【請求項８】
前記情報処理システムが、
前記変更案作成処理において、前記他移動手段を用いて乗務員が移動する前記変更案を作成した場合、当該変更案を当該他移動手段の情報とともに所定装置に出力する処理を更に実行する、
ことを特徴とする請求項７に記載の乗務員運用管理方法。
【請求項９】
前記情報処理システムが、
前記移動時間算出処理において、前記他移動手段の情報が示す、当該他移動手段による過去の移動履歴の情報を用いて前記移動時間の算出を実行する、
ことを特徴とする請求項７に記載の乗務員運用管理方法。
【請求項１０】
前記情報処理システムが、
前記移動時間算出処理において、前記他移動手段の情報が示す、前記他移動手段に関して予め求めた所定距離ないし所定地点間の移動時間の情報に基づき前記移動時間の算出を実行する、
ことを特徴とする請求項７に記載の乗務員運用管理方法。
【請求項１１】
前記情報処理システムが、
前記移動時間算出処理において、前記乗務員が保持する所定の位置取得装置から、当該乗務員の位置情報を取得し、当該位置情報に基づき前記移動時間を算出し、
前記変更案作成処理において、前記位置情報の得られている当該乗務員が、前記列車および前記他移動手段の少なくともいずれかを用いて移動する場合の前記変更案を、前記位置情報に基づき算定した移動時間を用いて作成する、
ことを特徴とする請求項７に記載の乗務員運用管理方法。
【請求項１２】
前記情報処理システムが、
前記移動時間算出処理において、前記列車ダイヤの変更時における、事故発生曜日、事故発生時刻、事故発生からの経過時間、遅延原因、降雨量、および降雪量、のうち少なくともいずれかの情報に更に基づいて前記移動時間を算出する、
ことを特徴とする請求項７に記載の乗務員運用管理方法。 
【手続補正２】
【補正対象書類名】明細書
【補正対象項目名】０００４
【補正方法】変更
【補正の内容】
【０００４】
このうち乗務員運用情報の変更に際し、予め列車ダイヤ上に設定された列車への便乗や予備の乗務員を活用するだけでは所定の運用制約を満たすことができないケースがある。その場合、他路線やタクシーなど運行管理システム管轄外の移動手段によって乗務員を移動させ、運用制約を満たす計画作成がなされることもある。
【手続補正３】
【補正対象書類名】明細書
【補正対象項目名】００１１
【補正方法】変更
【補正の内容】
【００１１】
上記課題を解決する本発明の乗務員運用管理システムは、列車ダイヤと、各乗務員の乗務する列車及び駅区間を含んで構成される運用情報と、前記列車ダイヤで規定する列車以外の他移動手段の情報と、を保持する乗務員運用管理システムであって、所定乗務員が、前記列車ダイヤに記載の列車および前記他移動手段の少なくともいずれかを用いた場合に、所定の場所から所定駅に到達するための移動時間を算定する移動時間算出部と、前記列車ダイヤの変更時に、前記列車および前記他移動手段の少なくともいずれかを用いて乗務員が移動する場合の前記運用情報の変更案を、前記算定した移動時間を用いて作成する変更案作成部と、を備えることを特徴とする。
【手続補正４】
【補正対象書類名】明細書
【補正対象項目名】００８３
【補正方法】変更
【補正の内容】
【００８３】
例えば、重回帰分析やニューラルネットワークなど、公知の技術を用いることができる。その場合、移動時間を確率分布として算出してもよい。確率分布として算出する場合には、変更案の作成には代表値（平均値など）だけでなく移動時間の分布自体を入力として使用してもよい。また、変更案の信頼度を推し量るために、分布の形状（ヒストグラムなど）や分布の特徴を表す値（３σの値など）を提示してもよい。例えば、図１２の乗務員運用情報１２００のように、破線で示した移動を破線で示した時間内に実際に行える確率を、信頼度として提示しても良い。
【手続補正５】
【補正対象書類名】明細書
【補正対象項目名】００９０
【補正方法】変更
【補正の内容】
【００９０】
本明細書の記載により、少なくとも次のことが明らかにされる。すなわち、本実施形態の乗務員運用管理システムにおける、前記変更案作成部において、前記他移動手段を用いて乗務員が移動する前記変更案を作成した場合、当該変更案を当該他移動手段の情報とともに所定装置に出力する処理を更に実行するものである、としてもよい。
【手続補正６】
【補正対象書類名】明細書
【補正対象項目名】００９２
【補正方法】変更
【補正の内容】
【００９２】
また、本実施形態の乗務員運用管理システムにおける、前記移動時間算出部において、前記他移動手段の情報が示す、当該他移動手段による過去の移動履歴の情報を用いて前記移動時間の算出を実行するものである、としてもよい。
【手続補正７】
【補正対象書類名】明細書
【補正対象項目名】００９４
【補正方法】変更
【補正の内容】
【００９４】
また、本実施形態の乗務員運用管理システムにおける、前記移動時間算出部において、前記他移動手段の情報が示す、前記他移動手段に関して予め求めた所定距離ないし所定地点間の移動時間の情報に基づき前記移動時間の算出を実行するものである、としてもよい。
【手続補正８】
【補正対象書類名】明細書
【補正対象項目名】００９６
【補正方法】変更
【補正の内容】
【００９６】
また、本実施形態の乗務員運用管理システムにおける、前記移動時間算出部において、前記乗務員が保持する所定の位置取得装置から、当該乗務員の位置情報を取得し、当該位置情報に基づき前記移動時間を算出し、前記変更案作成部において、前記位置情報の得られている当該乗務員が、前記列車および前記他移動手段の少なくともいずれかを用いて移動する場合の前記変更案を、前記位置情報に基づき算定した移動時間を用いて作成するものである、としてもよい。
【手続補正９】
【補正対象書類名】明細書
【補正対象項目名】００９８
【補正方法】変更
【補正の内容】
【００９８】
また、本実施形態の乗務員運用管理システムにおける、前記移動時間算出部において、前記列車ダイヤの変更時における、事故発生曜日、事故発生時刻、事故発生からの経過時間、遅延原因、降雨量、および降雪量、のうち少なくともいずれかの情報に更に基づいて前記移動時間を算出するものである、としてもよい。